(57)【要約】【課題】手摺の多機能化を図ることのできる手摺構造を実現する。【解決手段】二階建て建物１０において、二階部分１２には二階居室１５とバルコニー１６とが設けられており、それら二階居室１５とバルコニー１６とを仕切る外壁２１には窓部２２が形成されている。バルコニー１６には手摺２８が設置されている。手摺２８は、バルコニー１６の床面２６に対して起立しており、水平方向に延びる手摺棒と、その手摺棒を支える手摺支柱３１とを含んで構成されている。手摺棒と手摺支柱３１とに囲まれた位置には手摺パネル体３３が設けられている。手摺パネル体３３は支持アームにより回動可能に支持されており、回動することで傾斜状態に変位する。この場合、手摺パネル体３３の傾斜角度を調整することにより、手摺パネル体３３の反射面３３ａにて反射した太陽光を二階居室１５に供給することが可能となる。【選択図】図１
2010138580.tif 000002
【特許請求の範囲】
【請求項１】
屋外に設けられた床面から起立して設置されている手摺と、
前記手摺の一部を構成する板状又は枠状の面材と、
前記面材を前記手摺の起立面の一部を構成するように起立状態に保持可能であるとともに、その起立状態から傾斜した傾斜状態へと変位可能に支持する支持部と
を備えていることを特徴とする建物の手摺構造。
【請求項２】
前記支持部は前記面材を傾斜状態に保持可能であることを特徴とする請求項１に記載の手摺構造。
【請求項３】
前記面材は複数設けられており、各面材はそれぞれの傾斜状態が同一となるように変位する構成となっていることを特徴とする請求項１又は２に記載の手摺構造。
【請求項４】
前記面材は板状に形成されており、太陽光を反射させる反射面を少なくとも一方の板面に有していることを特徴とする請求項１乃至３のいずれか１項に記載の手摺構造。
【請求項５】
前記面材は、前記床面の上方に存在する軒部の下面に設置された太陽光発電装置に対して、前記反射面にて反射した太陽光を供給することが可能な位置に設けられていることを特徴とする請求項４に記載の手摺構造。
【請求項６】
前記面材の傾斜状態を調整する傾斜調整装置と、
太陽の位置が変化しても前記反射光が前記太陽光発電装置に継続して供給されるように前記傾斜調整装置の動作制御を行う制御手段と
を備えていることを特徴とする請求項５に記載の手摺構造。
【請求項７】
前記手摺の上端には、略水平方向に延びて人の手が掛けられる手摺部が設けられており、
前記面材は、前記手摺部の下方に配置されており、
前記支持部は、前記面材の上下方向中央の水平軸線を中心として当該面材を回動可能に支持するものであることを特徴とする請求項１乃至６のいずれか１項に記載の手摺構造。
【請求項８】
前記面材の上端及び下端の少なくとも一方には、物品を引っ掛けることが可能な物品引掛部が設けられており、前記面材に対する前記物品引掛部の離間位置を調整する調整部を備えていることを特徴とする請求項１乃至７のいずれか１項に記載の手摺構造。
【発明の詳細な説明】
【技術分野】
【０００１】
本発明は、手摺構造に関するものである。
【背景技術】
【０００２】
住宅等の建物にバルコニーやベランダが設けられ、それらバルコニー等に手摺が設置されている場合、手摺により、バルコニー等から人や物品が落下することやバルコニー等が外部から覗かれることに対して抑止力が付与される。また、手摺は落下防止等の効果を有しているだけでなく、他の用途に使用されることもある。例えば特許文献１には、手摺に太陽電池が設置された構成が開示されている。
【特許文献１】特開２００６−４０９５０号公報
【発明の開示】
【発明が解決しようとする課題】
【０００３】
しかしながら、上記特許文献１に開示された構成では、手摺に対して落下防止等の従来からの機能に加えて単に太陽光発電機能が付加されたに過ぎない。したがって、手摺の多機能化を図る観点から見て改善の余地がある。
【０００４】
本発明は、手摺の多機能化を図ることのできる手摺構造を実現することを主たる目的とする。
【課題を解決するための手段】
【０００５】
上記課題を解決するために、第１の発明は、屋外に設けられた床面から起立して設置されている手摺と、前記手摺の一部を構成する板状又は枠状の面材と、前記面材を前記手摺の起立面の一部を構成するように起立状態に保持可能であるとともに、その起立状態から傾斜した傾斜状態へと変位可能に支持する支持部とを備えていることを特徴とする。
【０００６】
第１の発明によれば、面材は起立状態にあることで手摺としての役割を果たすことができる。例えば、人や物品が床面から外部領域へ出たり下階へ落下したりすることを規制できる。また、床側の領域が外部から覗かれることを規制する目隠し機能を発揮したり手摺の意匠性を高めたりすることが可能となる。加えて、面材は傾斜状態にあることで手摺とは異なる役割を果たすことができる。例えば、面材が傾斜状態とされている場合、手摺と面材の端部とに掛け渡すように布団を干すことにより、手摺だけに掛けるように布団を干した場合に比べて布団の乾燥を促進させることができる。また、この場合、面材が枠状であれば、水平方向に延びている枠片に洗濯物等を干すことが容易となる。さらに、面材が板状であってその板面に反射面が形成されていれば、面材の傾斜角度を調整することにより、反射面にて反射した太陽光を屋内空間や太陽光発電装置などに供給することができる。したがって、上記のように手摺の多機能化を図ることのできる手摺構造を実現することができる。
【０００７】
なお、前記手摺は、水平方向に延びる手摺部とその手摺部を支える複数の手摺支柱とを含んで構成されており、前記面材は前記手摺部と手摺支柱とに囲まれた位置に設けられていることが好ましい。また、前記支持部は前記面材を回動可能に支持していることが好ましい。この場合、面材を起立状態と傾斜状態とに変位させることが容易な構成を実現できる。
【０００８】
ちなみに、「手摺」は、立ち上がり面を形成し且つ上端を自由端とした構成であり、例えばバルコニーやベランダの床面に存在している人や物品などが下階に落下することを防止する機能を有している。また、板状の面材としては、目隠し機能を有する幕板や、パンチ孔等の小孔が形成されている板材、網目状に形成された板材などが挙げられる。一方、枠状の面材としては、例えば矩形状の枠材や、細長部材が鉛直方向や水平方向に延びるように配置されている柵などが挙げられる。面材は板状及び枠状のいずれであってもその形状によって手摺の意匠性を高めることが可能となる。
【０００９】
第２の発明では、前記支持部は前記面材を傾斜状態に保持可能である。
【００１０】
第２の発明によれば、面材の傾斜角度が使い勝手の良い角度に調整された場合に、例えば面材を人が手で支えていなくても面材の傾斜角度がそのまま保持される。この場合、面材を利用して布団や洗濯物等を干した際に、面材が元の起立状態に戻ってしまったり使い勝手の悪い傾斜角度に変位してしまったりすることを回避できる。したがって、手摺の多機能を図りつつ利便性を向上させることができる。
【００１１】
第３の発明では、前記面材は複数設けられており、各面材はそれぞれの傾斜状態が同一となるように変位する構成となっている。
【００１２】
第３の発明によれば、人が各面材を１つ１つ傾斜させなくてもそれら面材を一斉に傾斜させることができるため、各面材を容易に傾斜状態へ変位させることができる。したがって、手摺の使い勝手を向上させることができる。
【００１３】
なお、「各面材はそれぞれの傾斜状態が同一となるように変位する構成」としては、各面材が連結材により連結されその連結材が変位することで各面材の傾斜角度が同一となる構成や、面材を変位させる駆動部が各面材に設けられそれら面材の傾斜角度が同一となるように各駆動部を駆動させる構成などが挙げられる。
【００１４】
第４の発明では、前記面材は、板状に形成されており、太陽光を反射させる反射面を少なくとも一方の板面に有している。
【００１５】
第４の発明によれば、面材を傾斜状態に変位させることにより、面材の反射面にて反射した太陽光を反射光として所定位置へ供給することが可能となる。これにより、面材に照射される太陽光を有効利用することができる。例えば、反射光を太陽光発電装置へ供給すれば太陽光発電装置の発電効率を高めることができ、屋内空間に供給すれば屋内空間を明るくしたり暖めたりすることができるためである。また、面材は板状に形成されているため目隠し機能が付与されている。ここで、太陽光を有効利用するために面材を傾斜状態に変位させると目隠し機能が低下してしまうことが懸念されるが、床側の領域において面材の目隠し機能が必要となるのは主に夜間であると考えられるため、昼間は目隠し機能についての制約を受けることなく面材を傾斜状態に変位させることができる。
【００１６】
第５の発明では、前記面材は、前記床面の上方に存在する軒部の下面に設置された太陽光発電装置に対して、前記反射面にて反射した太陽光を供給することが可能な位置に設けられている。
【００１７】
第５の発明によれば、面材にて反射した太陽光が太陽光発電装置に対して供給されるため、太陽光発電装置に太陽光が直接照射されなくても太陽光発電を行わせることができる。また、太陽光発電装置は軒下に設けられているため、光が照射される受光面には汚れが付着しにくく、受光面の汚れによって発電効率が低下してしまうといったことを回避できる。さらに、太陽光発電装置は風雨に晒されにくいため劣化の進行が抑制される。したがって、太陽光発電装置のメンテナンスの容易化を図ることが可能となる。
【００１８】
なお、前記面材は複数設けられており、各面材の反射面にて反射した太陽光がそれぞれ前記太陽光発電装置に供給されることが好ましい。この場合、各面材に照射された太陽光をまとめて太陽光発電装置に供給することができるため発電効率を高めることができる。しかも、各面材における反射面の総表面積が太陽光発電装置における受光面の表面積より大きい構成であれば、太陽光発電装置の受光面に太陽光が直接照射される場合よりも発生電力量を大きくすることが可能となる。
【００１９】
第６の発明では、前記面材の傾斜状態を調整する傾斜調整装置と、太陽の位置が変化しても前記反射光が前記太陽光発電装置に継続して供給されるように前記傾斜調整装置の動作制御を行う制御手段とを備えている。
【００２０】
第６の発明によれば、太陽光発電装置に太陽光が直接照射される構成と同様に、時間の経過に伴って太陽の位置が変化しても、太陽光発電装置による発電を継続して行わせることが可能となる。したがって、太陽光発電装置のメンテナンスの容易化を図りつつ、太陽光発電装置による発電を好適に行うことができる。
【００２１】
なお、前記面材は複数設けられており、前記制御手段は、各面材にて反射した各反射光がそれぞれ前記太陽光発電装置に供給されるように前記傾斜調整装置の動作制御を行うことが好ましい。この場合、各面材に照射された太陽光がまとめて太陽光発電装置に供給されるため、各面材における反射面の総表面積が太陽光発電装置における受光面の表面積より大きければ、太陽光発電装置に太陽光が直接照射される構成よりも発電量を大きくすることができる。
【００２２】
第７の発明では、前記手摺の上端には、略水平方向に延びて人の手が掛けられる手摺部が設けられており、前記面材は、前記手摺部の下方に配置されており、前記支持部は、前記面材の上下方向中央の水平軸線を中心として当該面材を回動可能に支持するものである。
【００２３】
第７の発明によれば、面材は上下方向中央を回動軸として回動するため、面材を手摺に接触させることなく傾斜状態へ変位させることができる。面材を傾斜状態に変位させた場合、手摺部と面材の端部とに掛け渡すように布団を干すことで、例えば手摺部だけに引っ掛けるように布団を干している場合とは異なり、布団において面材や手摺部と当接している側に風通し空間を確保することが可能となる。この場合、布団の表裏両面のうち太陽光が当たる側はもちろんのこと、太陽光が当たらない側においても風が通ることで布団乾燥を促進させることができる。したがって、例えば布団干し専用の器具などを設置しなくても、布団を好適に干すことができる。また、布団を干さない時には面材を起立状態に戻すことにより、布団干し専用の器具などが設置されている構成に比べて建物の美観を向上させることができる。
【００２４】
第８の発明では、前記面材の上端及び下端の少なくとも一方には、物品を引っ掛けることが可能な物品引掛部が設けられており、前記面材に対する前記物品引掛部の離間位置を調整する調整部を備えている。
【００２５】
第８の発明によれば、面材が傾斜状態にある場合、物品引掛部が手摺から離間しているため、物品を手摺や面材に接触しない状態で物品引掛部に引っ掛けることができる。さらに、物品引掛部を面材から離間させることで物品引掛部の使い勝手がより一層高まる。例えば、物品引掛部に洗濯物を掛けた際、物品引掛部の位置を調整することにより、洗濯物が手摺や面材に巻きついて汚れたり乾きにくくなったりすることを回避できる。つまり、物干し専用の器具などを設置しなくても洗濯物等を好適に干すことができる。また、物品引掛部に物品を引っ掛けない時には物品引掛部を元の位置に戻したりや面材を起立状態に戻したりすることにより、物干し専用の器具などが設置されている構成に比べて建物の美観を向上させることができる。
【００２６】
なお、前記調整部は、上下方向に伸縮することで前記物品引掛部の離間位置を調整することが好ましい。この場合、調整部を伸ばすことで物品引掛部を上方に移動させることが可能となるため、例えば、物品引掛部に洗濯物が掛けられている場合に、その洗濯物が床面に接触することを回避できる。
【発明を実施するための最良の形態】
【００２７】
（第１の実施形態）
以下、本発明を具体化した一実施形態を図面に基づいて説明する。図１は二階建て建物１０におけるバルコニー１６周辺の概略断面を示す図である。なお、図１においては、支持アーム３５の図示を省略している。
【００２８】
図１に示すように、住宅等の建物１０には、下階としての一階部分１１と、上階としての二階部分１２と、二階部分１２の上方に配置されている屋根部１３とが設けられている。二階部分１２には、寝室等の二階居室１５と、バルコニー１６とが設けられている。二階居室１５とバルコニー１６とは外壁２１により仕切られており、外壁２１には窓部２２が形成されている。窓部２２は例えば掃き出し窓となっており、人は窓部２２を通じて二階居室１５からバルコニー１６へ出入りすることができる。
【００２９】
バルコニー１６は、屋外側に開放された屋外部分となっている。バルコニー１６の床面２６は屋外に位置しており、バルコニー空間を挟んで床面２６の上方には軒部２５が設けられている。軒部２５は、外壁２１から側方へ突出しており、屋根部１３の一部により形成されている。バルコニー１６には、外部空間Ｓとの境界部に沿って延びるように手摺２８が設置されている。手摺２８はバルコニー１６の床面２６から起立しており、その上端が自由端となっている。また、起立することで立ち上がり面を形成しており、人や物品がバルコニー１６から下階へ落下することに対する抑止力を有している。
【００３０】
ここで、手摺２８について、図２，図３を参照しつつ説明する。図２は手摺２８の構成を示す斜視図、図３は手摺パネル体３３の傾斜状態を例示した図である。
【００３１】
図２に示すように、手摺２８は、バルコニー１６の床面２６から上方へ突出している立ち上がり壁２９を含んで構成されている。立ち上がり壁２９は、バルコニー１６の開放側における床面２６の周縁部に沿って延びており、その上面が手摺笠木２９ａにより覆われている。手摺笠木２９ａは金属材料により横断面略コ字状の長尺材として形成されており、立ち上がり壁２９の上面に水等が浸入することを規制している。
【００３２】
手摺笠木２９ａの上面には手摺支柱３１が複数立設されている。各手摺支柱３１は立ち上がり壁２９に対して固定されており、互いの離間距離を均一として手摺笠木２９ａに沿って並んでいる。手摺支柱３１の上端には、略水平方向に延びる手摺棒３２が接続されている。手摺棒３２は手摺支柱３１を挟んで手摺笠木２９ａの上方に配置されているとともに手摺支柱３１により均等に支持されており、人が手を掛けやすくなっている。手摺支柱３１及び手摺棒３２は、アルミニウム等の金属材料により円柱状に形成されている。なお、手摺支柱３１及び手摺棒３２は角柱状に形成されていてもよく筒状に形成されていてもよい。
【００３３】
手摺２８において、手摺笠木２９ａと手摺支柱３１と手摺棒３２とにより囲まれた位置には面材としての手摺パネル体３３が設けられている。手摺パネル体３３は、合成樹脂材料により略矩形状に形成された板部となっており、水平方向の寸法が隣り合う手摺支柱３１の離間距離より少し小さく、且つ鉛直方向の寸法が手摺笠木２９ａと手摺棒３２との離間距離より少し小さくなっている。また、手摺パネル体３３は、隣り合う手摺支柱３１の間であって手摺笠木２９ａと手摺棒３２との間において、一方の板面をバルコニー１６側に向け且つ他方の板面を外部空間Ｓ側に向けた起立状態となっている。したがって、隣り合う手摺支柱３１の間の領域は手摺パネル体３３により塞がれた状態となっている。この場合、手摺パネル体３３は、人や物品が下階へ落下することに対する抑止力を有しているだけでなく、バルコニー１６が外部から覗かれることを規制する目隠し機能を有しており、さらには、幕板として手摺２８の意匠性を高める役割を果たしている。
【００３４】
手摺パネル体３３における一方の板面は光を反射させる反射面３３ａ（図１参照）となっており、その反射面３３ａはバルコニー１６とは反対側（つまり外部空間Ｓ側）を向いている。なお、手摺パネル体３３は、反射面３３ａを形成することが可能なガラス等により構成されていてもよく、表裏両板面が反射面３３ａとなっていてもよい。
【００３５】
手摺パネル体３３は、支持部としての支持アーム３５により回動可能に支持されている。支持アーム３５は、全体として略Ｌ字状に形成されており、立ち上がり壁２９におけるバルコニー１６側の壁面に固定された固定部３６から上方へ向けて延びている。支持アーム３５の上端部には球状のアーム軸部３７が形成されており、そのアーム軸部３７は手摺パネル体３３のパネル軸受け部３８に入り込んでいる。パネル軸受け部３８は、手摺パネル体３３における反射面３３ａとは反対側の面（バルコニー１６側の面）に設けられており、アーム軸部３７の収容が可能な大きさ及び形状の中空部を有している。この場合、アーム軸部３７とパネル軸受け部３８とにより球面軸受けが構成されており、パネル軸受け部３８がアーム軸部３７の球面に沿って回動することで水平方向や鉛直方向に回動する。また、パネル軸受け部３８は、手摺パネル体３３における板面の略中央に配置されており、手摺パネル体３３は、隣り合う手摺支柱３１の間において手摺支柱３１や手摺棒３２、手摺笠木２９ａに接触することなく回動する。以上の結果、手摺パネル体３３を傾斜状態に変位させ、反射面３３ａの向きを変えることが可能となっている。
【００３６】
球面軸受けにおいて、アーム軸部３７はパネル軸受け部３８の内側面と嵌合しており、アーム軸部３７とパネル軸受け部３８との間には手摺パネル体３３を支えることが可能な大きさの摩擦力が発生する。この場合、手摺パネル体３３は、人の手などにより外力が加えられることで傾くが、外力が加えられないと摩擦力によってそのままの状態にて保持される。つまり、起立状態や傾斜状態にて保持される。
【００３７】
各手摺パネル体３３は連結棒４１により連結されている。連結棒４１は、手摺棒３２と平行に延びるように配置されており、接続棒４２を介して各手摺パネル体３３におけるバルコニー１６側の面にそれぞれ接続されている。連結棒４１と接続棒４２との接続部分は球面軸受けとなっており、連結棒４１に対して接続棒４２が回動可能となっている。同様に、接続棒４２と手摺パネル体３３との接続部分は球面軸受けとなっており、接続棒４２に対して手摺パネル体３３が回動可能となっている。また、手摺パネル体３３における接続棒４２の接続位置は、板面の中心から水平方向及び鉛直方向にずれた上部側の隅角部となっている。この場合、手摺パネル体３３は、接続棒４２が水平方向や鉛直方向に移動することで水平方向や鉛直方向に回動する。つまり、連結棒４１が水平状態を保ったまま水平方向や鉛直方向に移動することで、各手摺パネル体３３の傾斜角度が同時に且つ一様に変化する。
【００３８】
例えば、人が連結棒４１をバルコニー１６側に引っ張るように移動させると、図３（ａ）に示すように、手摺パネル体３３はその上部が倒れてバルコニー１６側への上り傾斜となる。この場合、手摺支柱３１の間の領域において、手摺パネル体３３と手摺笠木２９ａ及び手摺棒３２との間を風が通るため、バルコニー１６の風通しが良くなる。そして、図３（ｂ）に示すように、手摺パネル体３３が水平方向に延びる状態となるまで連結棒４１がバルコニー１６側へ移動されると、手摺支柱３１の間の領域においてさらに風が通り易くなり、バルコニー１６の風通しがより一層良くなる。また、図３（ｃ）に示すように、手摺パネル体３３が一方の手摺支柱３１側への上り傾斜となるまで連結棒４１が手摺棒３２に沿って水平方向に移動されても、バルコニー１６の風通しは良い状態が保持される。
【００３９】
ここで、手摺パネル体３３の反射面３３ａにて太陽光が反射した場合、その反射光の進む方向は反射面３３ａの向きに応じて変化する。したがって、太陽の位置に合わせて手摺パネル体３３の傾斜角度を調整することで、図１に示すように、反射面３３ａに当たっている太陽光により二階居室１５の内部を間接的に照射することが可能となる。この場合、二階居室１５に太陽光を積極的に供給することが可能となり、その結果、太陽光により屋内空間を明るくしたり暖めたりすることができる。
【００４０】
以上詳述した本実施形態によれば、以下の優れた効果が得られる。
【００４１】
手摺２８において、隣り合う手摺支柱３１の間にて手摺パネル体３３が回動可能となっているため、手摺支柱３１同士の間の領域を通じてバルコニー１６の風通しを良くすることができる。この場合、窓部２２が開放されていればバルコニー１６に加えて二階居室１５の風通しを良くすることができる。また、手摺パネル体３３の傾斜角度を変えることにより、反射面３３ａにて反射した太陽光を積極的に二階居室１５へ供給し、その二階居室１５を明るくしたり暖めたりすることができる。つまり、手摺パネル体３３の反射面３３ａに照射される太陽光を有効利用することができる。以上のように、手摺パネル体３３を傾斜状態へ変位させることにより、手摺２８の多機能化を図ることができる。
【００４２】
手摺パネル体３３は、反射面３３ａにて太陽光を反射させる機能を有する一方で目隠し機能を有している。ここで、太陽光を反射させるのは昼間であり、目隠し機能を効果的に発揮するのは夜間であるため、太陽光反射機能と目隠し機能といった２つの機能を有していてもそれぞれの効果を好適に発揮させることができる。
【００４３】
手摺パネル体３３の傾斜角度が調整可能であるため、太陽光を反射させる専用の反射装置等を例えばバルコニー１６に設置しなくても、太陽光を反射させて二階居室１５に取り込むことができる。また、太陽光の反射角度を調整する必要がない場合には手摺パネル体３３を起立状態に戻すことにより、専用の反射装置等が設置されている構成に比べてバルコニー１６や建物１０の美観を向上させることができる。しかも、支持アーム３５は、立ち上がり壁２９におけるバルコニー１６側の面に取り付けられているため、外部から見た手摺２８の意匠性が低下することを回避できる。
【００４４】
連結棒４１を操作することで各手摺パネル体３３の傾斜角度を一括で調整することができるため、例えば手摺２８が長い範囲に亘って設置されている場合に手摺パネル体３３の数が多くてもそれら手摺パネル体３３の傾斜角度を調整することが容易となる。
【００４５】
手摺２８において、手摺パネル体３３の下方部分が立ち上がり壁２９により構成されている。この場合、手摺パネル体３３の傾斜に伴って開放される領域は立ち上がり壁２９の上方に存在するため、手摺２８の落下防止機能が低下することを抑制できる。これに対して、例えば、手摺パネル体３３がバルコニー１６の床面２６の直上に配置されている場合、手摺パネル体３３が傾斜することで開放される領域は床面２６の直上に存在するため、手摺２８の落下防止機能が低下するおそれがある。また、立ち上がり壁２９が設けられていることにより、手摺２８が傾斜しても立ち上がり壁２９による目隠し機能は継続して発揮されるため、外部の下方からはバルコニー１６を覗くことができない状態を保持できる。さらに、立ち上がり壁２９が設けられていない構成に比べて手摺パネル体３３が小さくなるため、手摺パネル体３３自体や支持機構が過剰に大きくなることを回避できる。
【００４６】
（第２の実施形態）
本実施の形態では、上記第１の実施形態と異なり、手摺パネル体３３の傾斜角度が手動ではなく自動にて調整される構成となっている。手摺パネル体３３の制御システムについて、図４，図５を参照しつつ説明する。図４は手摺２８の構成を示す斜視図、図５は手摺パネル体３３の制御システムにおける電気的な構成を示すブロック図である。ここでは、上記第１の実施形態と同一の構成については基本的にその説明を省略する。
【００４７】
図４に示すように、手摺２８において、各支持アーム３５の上端部には、アーム軸部３７に代えて、手摺パネル体３３の傾斜角度を調整する傾斜調整装置５１がそれぞれ設けられている。傾斜調整装置５１は、パネル軸受け部３８に代えて手摺パネル体３３の板面における略中央に設けられており、手摺パネル体３３を回動可能に軸支する第１軸部５２と第２軸部５３とを有している。第１軸部５２の回動軸は水平方向に延びており、第２軸部５３の回動軸は鉛直方向に延びている。つまり、第１軸部５２と第２軸部５３とはそれぞれの回動軸が直交している。
【００４８】
各傾斜調整装置５１には、第１軸部５２用の駆動部と第２軸部５３用の駆動部とが設けられており、第１軸部５２用の駆動部が駆動することで手摺パネル体３３が鉛直方向に回動し、第２軸部５３用の駆動部が駆動することで手摺パネル体３３が水平方向に回動する。つまり、これら駆動部を組み合わせて駆動させることで手摺パネル体３３の傾斜角度を調整することができる。
【００４９】
図５に示すように、軒部２５には太陽光発電装置５９が設けられている。太陽光発電装置５９は、受光面５９ａに太陽光が照射されることで太陽光発電を行う構成となっており、その受光面５９ａが下方を向くように軒部２５の下面２５ａ（以下、軒裏２５ａという）に設置されている。この場合、太陽光発電装置５９は、バルコニー１６の上方に位置する軒部２５に設けられているため、手摺２８の上方に位置している。なお、太陽光発電装置５９には、屋内外の適宜箇所に設置された蓄電装置が接続されており、太陽光発電装置５９にて発生した電力は蓄電装置により蓄電される。蓄電装置には屋内外の電気設備が接続されており、蓄電装置からその電気設備に電力が供給される。
【００５０】
ここで、傾斜調整装置５１にはホームサーバ５５が電気的に接続されている。ホームサーバ５５は、ＣＰＵや各種メモリ等からなるマイクロコンピュータを含んで構成されており、記憶部５６とタイマ５７とを有している。記憶部５６は、太陽の方向や高度を季節や時刻に対応させた位置データや、手摺パネル体３３の傾斜角度を自動調整するための制御プログラム、手摺パネル体３３に対する太陽光発電装置５９の相対的な位置などを記憶しており、タイマ５７は、カレンダ機能や時計機能を有している。なお、ホームサーバ５５は、操作ボタン等の入力手段やディスプレイ等の表示手段を有しており、人は、入力手段を操作することで手摺パネル体３３の制御システムに関する設定内容を変更したり、表示手段の画像にて設定内容を確認したりすることができる。
【００５１】
ホームサーバ５５は、季節に関する情報と現在時刻に関する情報とをタイマ５７から取得するとともに太陽の位置データを記憶部５６から取得し、現在の季節及び時刻と太陽の位置データとに基づいて現在の太陽の位置を算出する。そして、現在の太陽の位置に基づいて、手摺パネル体３３の反射面３３ａにて反射した太陽光を太陽光発電装置５９の受光面５９ａに当てることができる反射面３３ａの角度を算出し、指令信号を出力することで各傾斜調整装置５１の動作制御を行い、各手摺パネル体３３の傾斜角度をそれぞれ調整する。これにより、各手摺パネル体３３のそれぞれに照射された太陽光をまとめて太陽光発電装置５９に供給することができるとともに、季節の変化や時間の経過に伴って太陽の位置が変化しても太陽光発電装置５９に継続して太陽光発電を行わせることが可能となる。また、日の出前や日の入り後など太陽光が照射されなくなれば、各手摺パネル体３３を起立状態に戻す。
【００５２】
なお、ホームサーバ５５は、手摺パネル体３３の反射面３３ａにて反射した太陽光を二階居室１５内に供給することができる手摺パネル体３３の角度を算出してもよい。この場合、季節や時間帯に合わせて太陽光が二階居室１５内に供給されるように手摺パネル体３３の傾斜角度を調整すれば、必要に応じて二階居室１５を明るくしたり暖めたりすることができる。
【００５３】
以上詳述した本実施形態によれば、以下の優れた効果が得られる。
【００５４】
手摺パネル体３３の反射面３３ａにて反射した太陽光が太陽光発電装置５９の受光面５９ａに照射されるため、太陽光発電装置５９が軒裏２５ａに設置されていても太陽光発電を行わせることができる。また、ホームサーバ５５により太陽の位置に合わせて手摺パネル体３３の傾斜角度が自動で調整されるため、人が時間の経過に合わせて手摺パネル体３３の傾斜角度を手動で調整しなくても、太陽光発電装置５９にて太陽光発電を継続して行わせることができる。つまり、太陽光の有効利用を容易に行うことができる。しかも、各手摺パネル体３３の反射面３３ａにてそれぞれ反射した各太陽光をまとめて太陽光発電装置５９に供給できるため、太陽光発電装置５９の発電量を大きくすることができる。例えば、各手摺パネル体３３の反射面３３ａの総表面積が太陽光発電装置５９の受光面５９ａの表面積より大きければ、太陽光が直接照射されるように受光面５９ａが上方を向いている構成よりも発電量を大きくすることができる。以上の結果、手摺２８のより一層の多機能化を図ることができる。
【００５５】
太陽光発電装置５９の設置場所が軒裏２５ａであるため、太陽光発電装置５９が風雨に晒されることを抑制できる。つまり、太陽光発電装置５９の劣化が進行することを抑制できる。また、太陽光発電装置５９の受光面５９ａが下方を向いているため、その受光面５９ａには汚れが付着しにくくなっている。この場合、受光面５９ａの清掃を頻繁に行わなくても、受光面５９ａに付着した汚れによって太陽光発電装置５９の発電効率が低下してしまうことを回避できる。したがって、清掃回数を減らすことが可能となる。また、太陽光発電装置５９が屋根部１３の上に設置されている構成では、太陽光発電装置５９の受光面５９ａを清掃するために屋根部１３に登る必要があるが、バルコニー１６にて受光面５９ａを清掃することができる。したがって、太陽光発電装置５９のメンテナンスの容易化を図ることができる。
【００５６】
さらに、太陽光発電装置５９が軒裏２５ａという目立たない場所に設置されているため、太陽光発電装置５９が例えば屋根に設置されている構成と比べて、建物１０の美観を向上させることができる。
【００５７】
（第３の実施形態）
本実施の形態では、上記第１の実施形態と異なり、手摺２８の手摺パネル体３３が回動するだけでなく変形する構成となっている。手摺２８の構成について、図６を参照しつつ説明する。図６は手摺２８の構成を示す斜視図、図７は手摺２８の使用方法を例示した図である。なお、図６は、図１と異なり手摺２８を外部空間Ｓ側から見た図となっている。ここでは、上記第１の実施形態と同一の構成については基本的にその説明を省略する。
【００５８】
図６に示すように、手摺２８には、支持アーム３５に代えて支持部としての水平軸部７１が設けられている。水平軸部７１は、手摺パネル体３３を上下の略中央にて支持しており、手摺パネル体３３を挟んで両側の手摺支柱３１にそれぞれ取り付けられている。この場合、手摺パネル体３３の回動軸は、手摺棒３２や手摺笠木２９ａと平行である水平方向に延びている。したがって、手摺パネル体３３は、手摺支柱３１や手摺棒３２、手摺笠木２９ａに接触することなく鉛直方向に回動する。
【００５９】
手摺２８には、手摺パネル体３３を所定の向きにて保持するストッパ７３，７４が設けられている。第１ストッパ７３は、手摺パネル体３３を水平状態にて保持する機能を有している。第１ストッパ７３は、バルコニー１６の反対側（外部空間Ｓ側）へ突出するように手摺支柱３１に取り付けられており、手摺パネル体３３がその上部を外部空間Ｓ側へ倒すように回動した場合に、手摺パネル体３３の下側の面と当接し、その当接状態で手摺パネル体３３を下から保持する（図７（ａ）参照）。この場合、手摺パネル体３３は、水平方向に延びる状態にて保持されている。
【００６０】
第２ストッパ７４は、手摺パネル体３３を傾斜状態にて保持する機能を有している。第２ストッパ７４は、バルコニー１６側へ突出するように手摺支柱３１に取り付けられており、手摺パネル体３３がその上部をバルコニー１６側へ倒すように回動した場合に、手摺パネル体３３の下側の面と当接し、その当接状態で手摺パネル体３３を下から保持する（図７（ｂ）参照）。この場合、手摺パネル体３３は、バルコニー１６側への上り傾斜となった状態にて保持されている。
【００６１】
また、手摺パネル体３３は、第１の実施形態と異なり、その手摺パネル体３３の周縁部を形成するパネル枠６２と、パネル枠６２の内側に嵌め込まれたパネル部６３とを有しており、パネル枠６２が板面の延びている方向に伸縮する構成となっている。
【００６２】
パネル部６３は合成樹脂材料により形成されており、略矩形状の板部になっている。パネル枠６２は金属材料により形成されており、パネル部６３の外周面に沿って延びように略矩形状の枠部となっている。パネル枠６２は、長手方向に伸縮可能な伸縮枠片６５と、伸縮枠片６５の伸縮に伴って移動する物品引掛部としての移動枠片６６とを含んで構成されている。
【００６３】
調整部としての伸縮枠片６５は、パネル部６３を挟んで対向するようにそのパネル部６３の両側方にそれぞれ配置されており、手摺パネル体３３の回動軸と直交する方向に延びている。伸縮枠片６５は複数の筒部により構成されており、各筒部は横断面の大きさがそれぞれ異なっている。それら筒部は、それぞれの外周面が重なるように他の筒部の内側に入り込んだ状態となっており、それぞれの中心軸がほぼ重なっている。伸縮枠片６５は、内側の筒部が外側の筒部から出る方向へ中心軸に沿ってスライド移動することで長手方向に伸び、その状態から外側の筒部に内側の筒部が入り込む方向へ中心軸に沿ってスライド移動することで縮む。伸縮枠片６５は移動枠片６６と一体的に形成されているため、伸縮することでパネル部６３に対する移動枠片６６の離間位置を調整することになる。この場合、図６に示すように、手摺パネル体３３を傾斜状態とすることで、手摺棒３２が支障となることなくパネル枠６２を斜め上方へ伸縮させることができる。
【００６４】
手摺２８や手摺パネル体３３が上記のような構成であるため、以下の優れた効果が得られる。
【００６５】
図７（ａ）に示すように、手摺パネル体３３が第１ストッパ７３により水平状態にて保持されている場合、例えば布団Ａを手摺棒３２と手摺パネル体３３の端部とに掛け渡すように干すことが可能となる。この場合、例えば手摺パネル体３３を傾斜させずに手摺棒３２に布団Ａが掛けられた場合とは異なり、布団Ａにおける太陽光が当たる表側とは反対の裏側に手摺棒３２及び手摺パネル体３３により空間が確保されるため、その裏側の風通しが良くなり、表側を太陽光により乾燥させつつ裏側を通気により乾燥させることが可能となる。しかも、汚れが付着していると考えられる立ち上がり壁２９の側面から布団Ａを離間させることができるため、布団Ａに汚れが付着することを抑制できる。
【００６６】
また、布団Ａは、太陽光の当たる面積を極力大きくしたりバルコニー１６の床面２６に接触しないようにしたりするために、外部空間Ｓ側に出る部分の方がバルコニー１６側に出る部分より大きくなるように干されると考えられる。この場合、手摺パネル体３３における外部空間Ｓ側の端部には反対側の端部より大きな荷重が布団Ａから加えられるため、その端部が下方へ移動する向きに手摺パネル体３３が回転しやすいと考えられる。これに対して、手摺パネル体３３は外部空間Ｓ側にて第１ストッパ７３により下方から支持しているため、布団Ａから加えられる荷重に抗して手摺パネル体３３が水平状態に保持される。つまり、手摺パネル体３３を第１ストッパ７３によりバランス良く支持しているため、布団Ａが外部空間Ｓ側へ落ちることを回避できる。
【００６７】
図７（ｂ）に示すように、手摺パネル体３３が第２ストッパ７４により傾斜状態にて保持されている場合、パネル枠６２における伸縮枠片６５の延長線上に手摺棒３２が存在しないため、伸縮枠片６５を外部空間Ｓ側へ向けて斜め上方に伸ばすことが可能となる。例えば、洗濯物Ｂを干す場合、伸縮枠片６５を少しだけ伸ばし、移動枠片６６にハンガー等を引っ掛ける作業（洗濯物Ｂを干す作業）を低い位置ｂ１で行う。その後、伸縮枠片６５を適宜伸ばして洗濯物Ｂを高い位置ｂ２に移動させる。これにより、洗濯物Ｂの干し作業を低い位置ｂ１にて容易に行うことができるとともに、洗濯物Ｂを高い位置ｂ２にて好適に乾かすことができる。しかも、洗濯物Ｂを高い位置ｂ２に移動させることで洗濯物Ｂがバルコニー１６の床面２６やパネル部６３、手摺支柱３１などに接触することを回避できる。この場合、洗濯物Ｂに汚れが付着することを回避しつつ、洗濯物Ｂの下方空間を有効に利用することができる。
【００６８】
また、手摺パネル体３３が傾斜状態とされ、移動枠片６６に洗濯物Ｂが引っ掛けられた状態では、洗濯物Ｂから移動枠片６６に対して荷重が加えられるため、移動枠片６６が下方へ移動する向きに手摺パネル体３３が回転しやすいと考えられる。これに対して、手摺パネル体３３はバルコニー１６側にて第２ストッパ７４により下方から支持されているため、洗濯物Ｂから加えられる荷重に抗して手摺パネル体３３が傾斜状態にて保持される。つまり、手摺パネル体３３を第２ストッパ７４によりバランス良く支持しているため、洗濯物Ｂがバルコニー１６の床面２６に落ちることを回避できる。
【００６９】
手摺２８において手摺パネル体３３が複数設けられているため、一部の手摺パネル体３３を水平状態に移行させるとともに他の手摺パネル体３３を傾斜状態に移行させることで、一部の手摺パネル体３３に布団Ａを干し、他の手摺パネル体３３に洗濯物Ｂを干すことができる。したがって、手摺２８を効率良く利用することができる。ちなみに、手摺パネル体３３が傾斜状態にて保持されている場合に、布団Ａが手摺棒３２と手摺パネル体３３の両端とに掛け渡すように干されてもよく、手摺パネル体３３が水平状態にて保持されている場合に、洗濯物Ｂが移動枠片６６に干されていてもよい。
【００７０】
手摺２８を利用して布団Ａや洗濯物Ｂを干すことが可能であるため、布団Ａや洗濯物Ｂなどを干すための専用の器具をバルコニー１６に設置する必要がない。したがって、専用の器具等が設置されている構成に比べてバルコニー１６や建物１０の美観を向上させることができる。また、布団Ａや洗濯物Ｂを干さない場合には手摺パネル体３３を元の起立状態に戻すことにより、手摺２８の意匠性が低下することを回避できる。
【００７１】
（他の実施形態）
本発明は上記各実施形態の記載内容に限定されず、例えば次のように実施してもよい。
【００７２】
（１）手摺２８において、手摺支柱３１は立ち上がり壁２９（手摺笠木２９ａ）の上面に立設されているのではなくバルコニー１６の床面２６に立設されていてもよい。また、手摺支柱３１や手摺棒３２は設けられていなくてもよい。つまり、手摺２８は少なくとも手摺パネル体３３とを含んで構成されていればよい。この場合でも、手摺パネル体３３を傾斜状態に変位させることで手摺２８の多機能化を図ることができる。特に、手摺棒３２が設けられていない場合、例えば上記第３の実施形態においては、手摺パネル体３３を傾斜させなくてもパネル枠６２の伸縮枠片６５を上方へ伸ばすことが可能となるため、手摺パネル体３３の使い勝手を向上させることができる。
【００７３】
（２）手摺パネル体３３は、反射面３３ａを有する板部でなくても、パンチ孔等の小孔が形成されている板材や、網目状（メッシュ状）に形成された板材などといった板状の面材でもよい。また、手摺パネル体３３は、板状でなくても、矩形状の枠材や、細長部材が鉛直方向及び水平方向の少なくとも一方に延びるように配置されている柵などといった枠状の面材でもよい。例えば上記第３の実施形態において、手摺パネル体３３が、パネル部６３が内側に嵌め込まれていないパネル枠６２により枠状の面材として形成されている構成とする。また、手摺２８において、一部の手摺パネル体３３が傾斜状態に移行する構成としてもよい。
【００７４】
（３）手摺２８において、手摺パネル体３３は手摺支柱３１と手摺棒３２とに囲まれた位置ではなく、手摺支柱３１や手摺棒３２よりもバルコニー１６側や外部空間Ｓ側に配置されていてもよい。要は、手摺の一部を構成していればよい。
【００７５】
（４）手摺パネル体３３は、起立状態から傾斜状態に変位可能であれば、回動可能に支持されていなくてもよい。例えば、手摺支柱３１に、手摺パネル体３３を起立状態にて保持するための起立用固定部と、傾斜状態にて保持するための傾斜用固定部とが設けられており、手摺パネル体３３がボルト等の固定手段により起立用固定部又は傾斜用固定部に固定される構成とする。この場合、手摺パネル体３３の固定対象を起立用固定部及び傾斜用固定部のいずれかに選択することで、手摺パネル体３３を起立状態と傾斜状態との間で変位させることができる。
【００７６】
（５）上記第３の実施形態について、第１ストッパ７３により保持される手摺パネル体３３の状態は水平状態でなくてもよく、第２ストッパ７４により保持される手摺パネル体３３の状態は傾斜状態でなくてもよい。例えば、第１ストッパ７３により手摺パネル体３３が傾斜状態にて保持される場合、パネル枠６２の伸縮枠片６５を外部空間Ｓ側へ向けて斜め上方に伸ばすことが可能となる。この場合、バルコニー１６内よりも風通しの良い外部空間Ｓにて洗濯物Ｂを干すことになるため、洗濯物Ｂの乾燥をより一層促進させることができる。
【００７７】
また、面材としての手摺パネル体３３において、枠状のパネル枠６２ではなく板状のパネル部６３が長手方向に伸縮可能な構成としてもよい。例えば、パネル部６３が複数の薄板部を重ねて形成されており、それぞれの薄板部がスライド移動することで手摺パネル体３３が上下方向に伸縮する構成とする。この場合でも、パネル部６３の上端及び下端の少なくとも一方に物品引掛部が設けられていれば、物品引掛部に洗濯物Ｂ等を干し、その洗濯物Ｂ等を適宜移動させることができる。また、物品引掛部は手摺パネル体３３に複数設けられていてもよい。
【００７８】
さらに、パネル枠６２において、パネル部６３の板面が向いている方向に移動枠片６６をスライドさせるスライド枠片が設けられていてもよい。この場合、移動枠片６６の位置をパネル枠６２の延長線上ではなくその延長線と直交する方向に調整することが可能となる。
【００７９】
（６）手摺２８は、屋上の床面やベランダの床面など、屋外に設けられた床面２６に設置されていればよい。また、屋外に設けられている床面を有していれば、複数階建ての建物において、一階部分１１や三階部分に設けられていてもよい。
【図面の簡単な説明】
【００８０】
【図１】第１の実施形態における二階建て建物におけるバルコニー周辺の概略断面を示す図。
【図２】手摺ユニットの構成を示す斜視図。
【図３】手摺パネル体の傾斜状態を例示した図。
【図４】第２の実施形態における手摺ユニットの構成を示す斜視図。
【図５】手摺パネル体の制御システムにおける電気的な構成を示すブロック図。
【図６】第３の実施形態における手摺ユニットの構成を示す斜視図。
【図７】手摺ユニットの使用方法を例示した図。
【符号の説明】
【００８１】
１０…建物、２５…軒部、２５ａ…軒部の下面、２６…屋外に設けられた床面としてのバルコニーの床面、２８…手摺、２９…手摺を構成する立ち上がり壁、３１…手摺を構成する手摺支柱、３２…手摺を構成する手摺棒、３３…面材としての手摺パネル体、３３ａ…反射面、３５…支持部としての支持アーム、５１…傾斜調整装置、５５…制御手段としてのホームサーバ、５９…太陽光発電装置、６５…調整部としての伸縮枠片、６６…物品引掛部としての移動枠片、７１…支持部としての水平軸部。
【図１】
2010138580.tif 000003
【図２】
2010138580.tif 000004
【図３】
2010138580.tif 000005
【図４】
2010138580.tif 000006
【図５】
2010138580.tif 000007
【図６】
2010138580.tif 000008
【図７】
2010138580.tif 000009